(57)【要約】  複式クラッチ変速機をもつ車両等に於いて、クラッチが故障した場合に、その挙動を最小限に抑えること。変速制御部（１１０）は、次段側のクラッチの動作不動を固着として判定し、次段側のクラッチが故障し、前段側のギアが抜けている場合は、前段側のギアを入れた後、前段側のクラッチトルク容量を所定値に制御し、且つ、バックトルクリミッタが、所定条件により動作して前段側のクラッチを係合する。つまり、奇数段クラッチが故障の場合は、偶数段ギアのドグ入りを判定し、偶数段ギアがドグ入りしていないとき、偶数段ギアのドグ入れ後、偶数段クラッチをエンゲージし、偶数段クラッチが故障の場合は、奇数段ギアのドグ入りを判定し、奇数段ギアがドグ入りしていないとき、奇数段ギアのドグ入れ後、奇数段クラッチをエンゲージして、トルクの伝達経路の変更の最終退避動作を行う。
2012081191.tif 000002
【特許請求の範囲】
【請求項１】
奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える変速制御手段と、
を備え、
前記変速制御手段は、前記次段側のクラッチの動作不動を固着として判定し、前記次段側のクラッチが故障し、前段側のギアが抜けている場合は、前記前段側のギアを入れた後、前記前段側のクラッチトルク容量を所定値に制御し、且つ、前記バックトルクリミッタが、所定条件により動作して前記前段側のクラッチを係合する、
複式クラッチ変速機の制御装置。
【請求項２】
前記変速制御手段は、奇数段クラッチが故障の場合は、偶数段ギアのドグ入りを判定し、偶数段ギアがドグ入りしていないとき、偶数段ギアのドグ入れ後、偶数段クラッチを係合し、
偶数段クラッチが故障の場合は、奇数段ギアのドグ入りを判定し、奇数段ギアがドグ入りしていないとき、奇数段ギアのドグ入れ後、奇数段クラッチを係合する、
請求項１記載の複式クラッチ変速機の制御装置。
【請求項３】
前記変速制御手段は、シフト機構の故障を判定し、前記シフト機構が故障している場合は、次段側のクラッチと前段側のクラッチの、双方のクラッチを係合する、
請求項１記載の複式クラッチ変速機の制御装置。
【請求項４】
前記変速制御手段は、変速する際にエンジン回転数を、次段側の入力軸の回転数に一致させるイナーシャフェーズにおいて、前記クラッチの故障を判定する、
請求項１記載の複式クラッチ変速機の制御装置。
【請求項５】
前記変速制御手段は、前記クラッチの係合を、前記トルクの伝達経路の変更の最終退避動作とする、
請求項１記載の複式クラッチ変速機の制御装置。
【請求項６】
前記変速制御手段は、クラッチ位置目標値とクラッチ実位置との偏差、前記クラッチ実位置が前記クラッチ位置目標値に追従する速度、前記速度が所定期間継続する時間のうち、少なくともいずれか一つが成立した場合に前記固着であると判定する、
請求項２記載の複式クラッチ変速機の制御装置。
【請求項７】
請求項１記載の複式クラッチ変速機の制御装置を備える、
自動二輪車。
【請求項８】
奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える複式クラッチ変速機の制御方法であって、
イナーシャフェーズにおいて、前記次段側のクラッチの動作不動を固着として判定し、前記次段側のクラッチが故障し、前段側のギアが抜けている場合は、前記前段側のギアを入れた後、前記前段側のクラッチトルク容量を所定値に制御し、且つ、前記バックトルクリミッタが、所定条件により動作して前記前段側のクラッチを係合する、
複式クラッチ変速機の制御方法。
【発明の詳細な説明】
【技術分野】
【０００１】
本発明は、複数のクラッチを有する変速機である複式クラッチ変速機の制御装置及び複式クラッチ変速機の制御方法に関する。
【背景技術】
【０００２】
従来、自動車に搭載され、自動車における迅速な変速動作を可能にするために複数のクラッチを備えた複式クラッチ変速機（以下では、単に「変速機」とも称することもある）と、これを制御する制御装置（例えば、特許文献１、特許文献２参照）とが知られている。【０００３】
この変速機は、エンジンと２系統の各入力軸の間に配設され、それぞれ駆動力の伝達又は遮断が可能な複数のクラッチと、２系統の入力軸と変速機出力軸（以下、単に「出力軸」と称する）との間を、シフタの選択操作によって選択的に連結する２系統（例えば、奇数変速段群と偶数変速段群の２系統）に分かれたギア対と、を有する。【０００４】
この変速機では、一方のクラッチを締結することによって一方のクラッチに連結され且つシフタにより選択した変速段群のギア対に動力を伝達している間、他方のクラッチを締結状態にしつつ、シフタの選択によって他方のクラッチに対応する変速段群のギア対を動力が伝達されない中立状態にしておくことができる。すなわち、クラッチ双方を締結した状態で、シフタの選択操作によって、選択した所望の変速段のギア対を介して出力軸から駆動輪に動力伝達を行うことができる。【０００５】
また、変速の際には、複数のクラッチのうち、動力伝達を行っていない変速段群の伝動系に係わる他方のクラッチを解放し、次いで、この他方のクラッチに連結される入力軸を有する伝達系統のギア対を選択して目標変速段に投入した後、動力伝達中の一方のクラッチを解放しながら、他方のクラッチを締結する。【０００６】
すなわち、従来の複式クラッチ変速機は、選択中の変速段（「前段」ともいう）から目標変速段（「次段」ともいう）への変速する場合、制御装置によって、動力伝達中のクラッチを解放しつつ、次の変速段（次段）のための動力を伝達するクラッチを締結するといったクラッチを同時に動作した掛け替えを、両伝達系統のギア対を繋げた状態で行う。【０００７】
特許文献１及び特許文献２に示すように複数のクラッチを同時に動作させて掛け替える従来の複式クラッチ変速機の制御では、掛け替えによる変速ショック（車速変化、ピッチング等を含む）を極力回避するため、同時に動作させるクラッチのトルク容量合計値を、クラッチ掛け替え中に於いて常に、クラッチ部分におけるエンジントルク値などの目標値にする必要がある。【０００８】
以下では、現在使用中であり、且つ、掛け替えられるクラッチをリリース側のクラッチと称し、変速後の締結状態においてトルクを伝達するクラッチをエンゲージ側のクラッチと称する。【０００９】
また、特許文献３には、変速装置側から逆向きに伝達されるバックトルクを解放してクランク軸側に過大なバックトルクが伝達されるのを阻止するようにしたバックトルクリミッタ（以下、適宜ＢＴＬと略称する）を備えるクラッチ装置が記載されている。
【先行技術文献】
【特許文献】
【００１０】
【特許文献１】特開２００４−２５１４５６号公報
【特許文献２】特開２００４−３０８８４１号公報
【特許文献３】特開２０００−５５０８６号公報
【発明の概要】
【発明が解決しようとする課題】
【００１１】
ところで、クラッチには、現在の状態から動かない、動作不動が発生することがある。この動作不動は、クラッチ固着（以下「固着」という）と呼ばれることがある。前記固着とは、クラッチが貼り付いているのではなくて、その状態から動かない、動作不動をいうものとする。例えば、クラッチを切った状態では切った状態そのままとなり、クラッチを繋いだ状態では繋いだ状態のままで変わらない。前記固着は、リリース側のクラッチとエンゲージ側のクラッチとのいずれにも発生する可能性がある。リリース側のクラッチに固着が発生した場合、ＢＴＬに依って二重係合になるので、ブレーキがかかり、特に大きな挙動は発生しない。【００１２】
しかしながら、ＢＴＬ付きクラッチを備える複式クラッチ変速機において、エンゲージ側のクラッチが故障（機械的固着）し、リリース側ギアが抜けている場合、両方のクラッチを繋げる制御を実施しても十分なトルクを伝達できない場合がある。【００１３】
エンゲージ側のクラッチが固着した場合、最終退避動作しようとしても、ギアを抜いてしまっている場合（例えば、２速から１速にダウンしている場合）、イナーシャフェーズに入ると、前段側（ここでは２段側）のギアを抜いて、リリース側を再係合しようとしてもできない。すなわち、ギアを抜いた後に、最終退避動作しても、クラッチは繋げるものの、ギアは抜けているので繋がらない。つまり、ドクが抜けており、エンゲージ側のクラッチは固着しているので、繋げにいっても、ドクが抜けておりトルク伝達はできない。但し、パワーオフダウンシフト状態のときであるため、そのまますぐに問題は起きない。しかし、その後加速しようとしたときに、エンゲージ側のトルクが少ない状態になるので、駆動が抜けたような感覚となる。【００１４】
本発明の目的は、複式クラッチ変速機をもつ車両等に於いて、クラッチが故障した場合に、その挙動を最小限に抑えることができる複式クラッチ変速機の制御装置及び複式クラッチ変速機の制御方法を提供することである。
【課題を解決するための手段】
【００１５】
本発明の複式クラッチ変速機の制御装置は、奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える変速制御手段と、を備え、前記変速制御手段は、前記次段側のクラッチの動作不動を固着として判定し、前記次段側のクラッチが故障し、前段側のギアが抜けている場合は、前記前段側のギアを入れた後、前記前段側のクラッチトルク容量を所定値に制御し、且つ、前記バックトルクリミッタが、所定条件により動作して前記前段側のクラッチを係合する構成を採る。【００１６】
本発明の複式クラッチ変速機の制御方法は、奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える複式クラッチ変速機の制御方法であって、イナーシャフェーズにおいて、前記次段側のクラッチの動作不動を固着として判定し、前記次段側のクラッチが故障し、前段側のギアが抜けている場合は、前記前段側のギアを入れた後、前記前段側のクラッチトルク容量を所定値に制御し、且つ、前記バックトルクリミッタが、所定条件により動作して前記前段側のクラッチを係合するようにした。
【発明の効果】
【００１７】
本発明によれば、複式クラッチ変速機をもつ車両等に於いて、クラッチが故障した場合に、その挙動を最小限に抑えることができる。
【図面の簡単な説明】
【００１８】
【図１】本発明の一実施の形態に係る複式クラッチ変速機の制御装置により制御される複式クラッチ変速機の要部構成を示す模式図
【図２】本発明の一実施の形態に係る複式クラッチ変速機の制御装置を備える自動二輪車の制御システムを示す模式図
【図３】変速制御を行う際の制御パターンである制御モード象限を示す図
【図４】クラッチ固着判定方法を説明する図
【図５】ＤＴＣ変速後半におけるクラッチの動作に対応するトルク変化と回転数変化を示すタイムチャート
【図６】ＤＣＴ変速後半でのフェールセーフ制御動作を行う際のフローチャート
【発明を実施するための形態】
【００１９】
以下、本発明の実施の形態について、図面を参照して詳細に説明する。
【００２０】
本実施の形態に係る複式クラッチ変速機の制御装置は、複数のクラッチを有する複式クラッチ変速機を制御して、好適に変速段の切り替えを行うものである。なお、本実施の形態では、制御装置及びこれに制御される複式クラッチ変速機が搭載される車両を自動二輪車として説明するが、これに限らず、制御装置及びこれに制御される複式クラッチ変速機を、自動車などの四輪車、３輪車に搭載してもよい。また、複式クラッチ変速機は、発進時のクラッチ操作とシフトチェンジのタイミングの決定を運転者に任せ、残りの制御を自動化した半自動の変速機であってもよいし、全自動の変速機であってもよい。
【００２１】
まず、図１を用いて本発明に係る複式クラッチ変速機の制御装置により制御される複式クラッチ変速機の概要について説明する。
【００２２】
図１は、本発明の一実施の形態に係る複式クラッチ変速機の制御装置により制御される複式クラッチ変速機７０の要部構成を示す模式図である。
【００２３】
図１に示す複式クラッチ変速機（以下、「変速機」という）７０は、ＢＴＬ付きＤＣＴ（Dual Clutch Transmission）であり、複数のクラッチ（第１クラッチ７４及び第２クラッチ７５）を交互に切り替えることによって、奇数段或いは偶数段の変速ギアへの駆動力の伝達を可能とする。
【００２４】
ＢＴＬは、変速機側から逆向きに伝達されるバックトルクを解放してクランク軸側に過大なバックトルクが伝達されるのを阻止する。
【００２５】
図１に示すように変速機７０は、エンジンのクランクシャフト６０に接続され、クランクシャフト６０から伝達されるトルクを可変して図示しない後輪側に伝達する変速機構７００と、変速機構７００における可変動作を行うシフト機構７０１とを有する。なお、クランクシャフト６０は、自動二輪車において、車両の前後方向と直交する方向に、且つ、略水平（横方向）に配置されている。
【００２６】
クランクシャフト６０は、複数のクランクウェブ６１を有し、これら複数のクランクウェブ６１のうち、クランクシャフト６０の一端部及び他端部に配置されるクランクウェブ６１ａ、６１ｂは、それぞれの外周にはギア溝が形成された外歯歯車である。
【００２７】
クランクウェブ６１ａは、第１クラッチ７４における第１のプライマリドリブンギア（「第１入力ギア」ともいう）４０と歯合している。この歯合により、クランクシャフト６０の一端部のクランクウェブ６１ａから第１入力ギア４０に伝達される動力は、第１クラッチ７４を介して、クランクシャフト６０の一端部側から変速機７０の第１メインシャフト７１０に伝達される。
【００２８】
また、クランクウェブ６１ｂは、第２クラッチ７５における第２のプライマリドリブンギア（「第２入力ギア」といもいう）５０と歯合している。この歯合により、クランクシャフト６０の他端部のクランクウェブ６１ｂから第２入力ギア５０に伝達される動力は、クランクシャフト６０の他端部側から第２メインシャフト７２０に伝達される。
【００２９】
変速機構７００は、クランクシャフト６０と平行に配置される第１メインシャフト（第１主軸部）７１０、第２メインシャフト（第２主軸部）７２０及びドライブシャフト（出力軸）７３０と、第１クラッチ７４と、第２クラッチ７５と、各シャフト７１０〜７３０間の動力伝達を行う各ギア８１〜８６、７１１、７１２、７２１、７２２、７３１、７３２と、ドライブスプロケット（以下「スプロケット」という）７６、第１及び第２クラッチアクチュエータ７７、７８を有する。
【００３０】
変速機構７００では、第１及び第２メインシャフト７１０、７２０に伝達される動力は、変速段を構成する各ギア８１〜８６、７１１、７１２、７２１、７２２、７３１、７３２を適宜選択して、車両後方に配置されたドライブシャフト７３０に伝達される。ドライブシャフト７３０の一端部（左側端部）にはスプロケット７６が固定されている。このスプロケット７６には、図示しない後輪の回転軸に設けられギアに巻回されたドライブチェーンが巻回されている。スプロケット７６が、ドライブシャフト７３０の回転に伴って回転することによって、図示しないドライブチェーンを介して、変速機７０からの駆動力を駆動輪である後輪に伝達する。言い換えれば、エンジンで発生したトルクは、第１クラッチ７４又は第２クラッチ７５、各変速段に対応した所定ギア列を経由して、ドライブシャフト７３０から出力されて、後輪（駆動輪）を回転させる。
【００３１】
なお、第１メインシャフト７１０において、奇数段のギア（各ギア８１、８３、８５、７１１、７１２、７３１）を介してドライブシャフト７３０に出力する駆動力の伝達部位と、第２メインシャフト７２０において、偶数段のギア（各ギア８２、８４、８６、７２１、７２２、７３２）を介してドライブシャフト７３０に出力する駆動力の伝達部位とは、略同径の外径である。また、第１メインシャフト７１０の駆動力の伝達部位と、第２メインシャフト７２０の駆動力の伝達部位とは、同心円上で重なることなく配置されている。この変速機構７００では、互いに同径の外径を有する第１メインシャフト７１０及び第２メインシャフト７２０が同一軸線上に左右に並べて配設され、それぞれ独立で回動する。
【００３２】
第１メインシャフト７１０は、第１クラッチ７４に連結されており、第２メインシャフト７２０は、第２クラッチ７５に連結されている。
【００３３】
第１メインシャフト７１０上には、奇数段を構成する変速ギア７１１、８５、７１２が配設されている。具体的には、第１メインシャフト７１０上に、第１クラッチ７４が接続される基端側から順に、固定ギア（１速対応ギア）７１１、５速ギア８５及びスプラインギア（３速対応ギア）７１２が配設されている。
【００３４】
固定ギア７１１は、第１メインシャフト７１０に一体的に形成され、第１メインシャフト７１０とともに回転する。固定ギア７１１は、ドライブシャフト７３０の１速ギア（被動側ギア）８１に歯合しており、ここでは、１速対応ギアとも称する。
【００３５】
５速ギア８５は、第１メインシャフト７１０上において、１速対応の固定ギア７１１と、３速対応のスプラインギア７１２との間に互いに離間した位置に、軸方向への移動を規制された状態で、第１メインシャフト７１０の軸周りに回転自在に取り付けられている。
【００３６】
５速ギア８５は、ドライブシャフト７３０のスプラインギア（被動側ギアとしての５速対応ギア）７３１に歯合している。
【００３７】
スプラインギア７１２は、第１メインシャフト７１０上に、当該第１メインシャフト７１０の先端側、つまり、第１クラッチ７４から離間する側の端部側に、第１メインシャフト７１０の回転に伴い回転するとともに、軸方向に移動自在に取り付けられている。
【００３８】
具体的には、スプラインギア７１２は、第１メインシャフト７１０における先端部の外周に軸方向に沿って形成されたスプラインによって、第１メインシャフト７１０に対して回動を規制されつつ、軸方向にはスライド移動自在に取り付けられ、ドライブシャフト７３０の３速ギア（被動側ギア）８３に歯合している。このスプラインギア７１２は、シフトフォーク１４２に連結され、シフトフォーク１４２の移動によって第１メインシャフト７１０上を軸方向に移動する。なお、スプラインギア７１２は、ここでは、３速対応ギアとも称する。
【００３９】
スプラインギア７１２は、第１メインシャフト７１０上を５速ギア８５側に移動して５速ギア８５と係合し、第１メインシャフト７１０上における５速ギア８５の軸回りの回動（空転）を規制する。スプラインギア７１２が５速ギア８５に係合することにより、５速ギア８５を第１メインシャフト７１０に固定し、第１メインシャフト７１０の回転とともに一体的に回転可能にさせる。
【００４０】
一方、第２メインシャフト７２０上には、偶数段を構成する変速ギア７２１、８６、７２２が配置されている。具体的には、第２メインシャフト７２０上に、第２クラッチ７５が接続される基端部側から順に、固定ギア（２速対応ギア）７２１、６速ギア８６及びスプラインギア（４速対応ギア）７２２が配設されている。
【００４１】
固定ギア７２１は、第２メインシャフト７２０に一体的に形成され、第２メインシャフト７２０とともに回転する。固定ギア７２１は、ドライブシャフト７３０の２速ギア（被動側ギア）８２に歯合しており、ここでは、２速対応ギアとも称する。
【００４２】
６速ギア８６は、第２メインシャフト７２０上において、２速対応の固定ギア７２１と、４速対応ギアであるスプラインギア７２２との間に互いに離間した位置に、軸方向への移動を規制された状態で、第２メインシャフト７２０の軸周りに回転自在に取り付けられている。この６速ギア８６は、ドライブシャフト７３０のスプラインギア７３２（被動側ギアとしての６速対応ギア）に歯合している。
【００４３】
スプラインギア（「４速対応ギア」ともいう）７２２は、第２メインシャフト７２０上に、当該第２メインシャフト７２０の先端側、つまり、第２クラッチ７５から離間する側の端部側に、第２メインシャフト７２０の回転に伴い回転するとともに、軸方向に移動自在に取り付けられている。
【００４４】
具体的には、スプラインギア７２２は、第２メインシャフト７２０における先端部の外周に軸方向に沿って形成されたスプラインによって、第２メインシャフト７２０に対する回動を規制されつつ、軸方向にはスライド移動自在に取り付けられ、ドライブシャフト７３０の４速ギア（被動側ギア）８４に歯合している。このスプラインギア７２２は、シフトフォーク１４３に連結され、シフトフォーク１４３の移動によって第２メインシャフト７２０上を軸方向に移動する。
【００４５】
スプラインギア７２２は、第２メインシャフト７２０上を６速ギア８６側に移動して６速ギア８６と係合し、第２メインシャフト７２０上における６速ギア８６の軸回りの回動（空転）を規制する。スプラインギア７２２が６速ギア８６に係合することにより、６速ギア８６を第２メインシャフト７２０に固定し、第２メインシャフト７２０の回転とともに一体的に回転可能にさせる。
【００４６】
一方、ドライブシャフト７３０には、第１クラッチ７４側から順に１速ギア８１、スプラインギア（５速対応ギア）７３１、３速ギア８３、４速ギア８４、スプラインギア（６速対応ギア）７３２、２速ギア８２及びスプロケット７６が配置されている。
【００４７】
ドライブシャフト７３０において、１速ギア８１、３速ギア８３、４速ギア８４及び２速ギア８２は、ドライブシャフト７３０の軸方向における移動が禁止された状態でドライブシャフト７３０を中心に回転自在に設けられている。
【００４８】
スプラインギア（「５速対応ギア」ともいう）７３１は、ドライブシャフト７３０に対して、スプライン係合によって回動を規制されつつ、軸方向にはスライド移動自在に取り付けられている。すなわち、スプラインギア７３１は、ドライブシャフト７３０に対してスラスト方向に移動自在で且つ、ドライブシャフト７３０とともに回転するように取り付けられている。このスプラインギア７３１は、シフト機構７０１のシフトフォーク１４１に連結され、シフトフォーク１４１の可動によってドライブシャフト７３０上を軸方向に移動する。
【００４９】
スプラインギア（「６速対応ギア」ともいう）７３２は、ドライブシャフト７３０に対して、スプライン係合によって回動を規制されつつ、軸方向にはスライド移動自在に取り付けられている。すなわち、スプラインギア（６速対応ギア）７３２は、ドライブシャフト７３０に対してスラスト方向に移動自在で且つ、ドライブシャフト７３０とともに回転するように取り付けられている。このスプラインギア７３２は、シフト機構７０１のシフトフォーク１４４に連結され、シフトフォーク１４４の可動によってドライブシャフト７３０上を軸方向に移動する。
【００５０】
なお、スプロケット７６は、ドライブシャフト７３０において、第２クラッチ７５側に位置する端部に固定されている。
【００５１】
これらスプラインギア７１２、７２２、７３１、７３２は、変速ギアとしてそれぞれ機能するとともにドグセレクタとして機能している。具体的には、スプラインギア７１２、７２２、７３１、７３２と、軸方向で隣り合う各変速ギアとの互いの対向面同士には、互いに嵌合する凹凸部が形成され、凹凸部が嵌合することによって両ギアは一体的に回動する。
【００５２】
このように、スプラインギア７１２、７２２、７３１、７３２は、連結されたシフトフォーク１４１〜１４４の駆動によって軸方向に移動されることによって、軸方向で隣り合う各変速ギア（１速ギア８１〜６速ギア８６）のそれぞれにドグ機構により連結される。
【００５３】
第１クラッチ７４及び第２クラッチ７５は、第１メインシャフト７１０と第２メインシャフト７２０とを車両の両側方から挟むように、車両の前後方向と直交する方向（ここでは左右方向）に離間して配置されている。
【００５４】
第１クラッチ７４は、クランクシャフト６０と第１メインシャフト７１０との間に設けられている。第１クラッチ７４は、締結状態において、クランクシャフト６０を介したエンジンからの回転動力を第１メインシャフト７１０に伝達し、他方、解放状態においてエンジンから第１メインシャフト７１０への回転動力を遮断する。第１メインシャフト７１０に伝達されたトルクは、奇数段のギア（各ギア８１、８３、８５、７１１、７１２、７３１）において所望のギア対（第１メインシャフト７１０上のギア７１１、８５、７１２と、これらギアに対応するドライブシャフト７３０上のギア８１、７３１、８３の対）を介してドライブシャフト７３０から出力される。なお、第１クラッチ７４は周知の多板式構造の摩擦クラッチである。
【００５５】
第１クラッチ７４は、制御部の変速制御部（図２で示すＴＣＵ１１０）によって制御される第１クラッチアクチュエータ７７の第１プルロッド７７ａに連結されている。第１クラッチ７４では、第１プルロッド７７ａが第１クラッチ７４から離間する方向に引かれると、複数のクラッチプレートと複数のフリクションプレートが互いに離間され、第１入力ギア４０から第１メインシャフト７１０へのトルクの伝達が切断、つまり、第１メインシャフト７１０への動力伝達が遮断される。一方、第１プルロッド７７ａが第１クラッチ７４側に移動すると、複数のクラッチプレートと複数のフリクションプレートが互いに密着して、第１メインシャフト７１０へトルクを伝達する、つまり、奇数ギア（１速ギア８１、３速ギア８３及び５速ギア８５）群を有する奇数ギア段の動力伝達を行う。
【００５６】
また、第２クラッチ７５は、クランクシャフト６０と第２メインシャフト７２０との間に設けられ、第１クラッチ７４と同様に、多板式の摩擦クラッチである。第２クラッチ７５は、締結状態において、クランクシャフト６０を介したエンジンからの回転動力を第２メインシャフト７２０に伝達し、他方、解放状態においてエンジンから第２メインシャフト７２０への回転動力を遮断する。第２メインシャフト７２０に伝達されたトルクは、偶数段のギア（各ギア８２、８４、８６、７２１、７２２、７３２）において所望のギア対（第２メインシャフト７２０上のギア７２１、８６、７２２と、これらギアに対応するドライブシャフト７３０上のギア８２、７３２、８４の対）を介してドライブシャフト７３０から出力される。
【００５７】
第２クラッチ７５は、第１クラッチ７４と同様に、周知の多板式構造のクラッチであり、制御部の変速制御部１１０によって制御される第２クラッチアクチュエータ７８の第２プルロッド７８ａに連結されている。第２クラッチ７５では、第２プルロッド７８ａが第２クラッチ７５から離間する方向に引かれると、複数のクラッチプレートと複数のフリクションプレートが互いに離間され、第２入力ギア５０から第２メインシャフト７２０へのトルクの伝達が切断、つまり、第２メインシャフト７２０への動力伝達が遮断される。一方、第２プルロッド７８ａが第２クラッチ７５側に移動すると、複数のクラッチプレートと複数のフリクションプレートが互いに密着して、第２メインシャフト７２０へトルクを伝達する、つまり、偶数ギア（２速ギア８２、４速ギア８４及び６速ギア８６）群を有する偶数ギア段の動力伝達を行う。
【００５８】
このように第１クラッチ７４及び第２クラッチ７５は、第１クラッチアクチュエータ７７及び第２クラッチアクチュエータ７８を介して制御部３００（詳細には図２に示すＴＣＵ１１０）によって駆動制御される。
【００５９】
なお、変速機構７００において各ギア８１〜８６、７１１、７１２、７２１、７２２、７３１、７３２に対して行われるギアシフトは、シフト機構７０１におけるシフトカム１４の回転によって可動するシフトフォーク１４１〜１４４によって行われる。
【００６０】
シフト機構７０１は、シフトフォーク１４１〜１４４と、シフトカム１４と、シフトカム１４を回転駆動させるシフトカム駆動装置８００と、モータ１４０と、モータ１４０とカム駆動装置８００とを連結して、モータ１４０の駆動力をシフトカム駆動装置８００に伝達する伝達機構４１とを有する。
【００６１】
シフトフォーク１４１〜１４４は、各スプラインギア７３１、７１２、７２２，７３２とシフトカム１４との間に架設されており、互いに、第１及び第２メインシャフト７１、７２、及びドライブシャフト７３０、シフトカム１４の軸方向で離間して配置されている。これらシフトフォーク１４１〜１４４は互いに平行するように並べられ、それぞれがシフトカム１４の回転軸の軸方向に移動自在に配置されている。
【００６２】
シフトフォーク１４１〜１４４は、基端側のピン部を、シフトカム１４の外周に形成された４本のカム溝１４ａ〜１４ｄにおけるそれぞれの溝内に、移動自在に配置させている。すなわち、シフトフォーク１４１〜１４４は、シフトカム１４を原節とした従節をなしており、シフトカム１４のカム溝１４ａ〜１４ｄの形状によって第１及び第２メインシャフト７１、７２、及びドライブシャフト７３０の軸方向にスライド移動する。このスライド移動によって、先端部に連結される各スプラインギア７３１、７１２、７２２，７３２は、各々の内径に挿通されている各軸上を軸方向にそれぞれ移動する。
【００６３】
シフトカム１４は、円筒状をなし、回転軸が第１メインシャフト７１、第２メインシャフト７２及びドライブシャフト７３０と平行になるように配置されている。
【００６４】
シフトカム１４は、伝達機構４１を介してシフトカム駆動装置８００に伝達されるモータ１４０の駆動力によって回転駆動し、この回転によって、カム溝１４ａ〜１４ｄの形状に応じてシフトフォーク１４１〜１４４のうち少なくとも一つを、シフトカム１４の回転軸の軸方向に可動させる移動させる。
【００６５】
このようなカム溝１４ａ〜１４ｄを有するシフトカム１４の回転に追従して可動するシフトフォーク１４１〜１４４によって、その移動したシフトフォークに連結されるスプラインギアが移動して、変速機７０（変速機構７００）のギアシフトが行われる。
【００６６】
このように構成された変速機７０では、クランクシャフト６０からのエンジンの駆動力が、第１クラッチ７４及び第２クラッチ７５の動作と、これに対応するシフト機構７０１の動作とによって、第１メインシャフト７１０及び第２メインシャフト７２０を有する独立の２系統の一方を介して、ドライブシャフト７３０を介して出力される。このドライブシャフト７３０の回転とともにドリブンスプロケット７６が回転し、チェーンを介して後輪を回転する。
【００６７】
この変速機７０における第１クラッチ７４、第２クラッチ７５、シフトフォーク１４１〜１４４を駆動するシフト機構７０１は、制御システム１０（図２参照）における制御部３００によって制御される。
【００６８】
図２は、本発明の一実施の形態に係る複式クラッチ変速機の制御装置を備える自動二輪車の制御システムを示す模式図である。なお、図２では、エンジン本体は図示省略している。
【００６９】
図２に示す制御システム（制御装置）１０において、制御部３００は、ＴＣＵ（Transmission Control Unit、「変速制御部」とも称する）１１０とＥＣＵ（Engine Control Unit、「エンジン制御部」とも称する）２００とを有し、これら変速制御部１１０とエンジン制御部２００との間では、ＣＡＮ通信などのデータ通信により各種のデータが情報交換される。
【００７０】
制御システム１０は、変速制御部１１０及びエンジン制御部２００に加えて、アクセル開度センサ（Accelerator Position Sensor）１０１と、クラッチ位置センサ（Clutch Angle Sensor）１０２、１０３と、シフト位置センサ（変速段検出部）１０５と、シフトスイッチ１０６と、第１クラッチアクチュエータ７７と、第２クラッチアクチュエータ７８と、シフト機構７０１と、出力軸回転数検出センサ（「車速センサ」という）１１１と、を有する。
【００７１】
アクセル開度センサ１０１は、運転者のアクセル操作量ＡＰＳを検出して変速制御部１１０に出力する。
【００７２】
クラッチ位置センサ１０２、１０３は、それぞれクラッチの位置、つまり、第１アクチュエータ７７による第１クラッチ７４の係合状態、第２アクチュエータ７８による第２クラッチ７５の係合状態を検出して、変速制御部１１０に出力する。具体的には、クラッチ位置センサ１０２は、モータ７７ｂの回転角から、第１プルロッド７７ａにより調整される複数のクラッチプレートと複数のフリクションプレートとの離間量、つまり、第１クラッチ７４における係合状態を変速制御部１１０に出力する。クラッチ位置センサ１０３もクラッチ１０２と同様に構成され同様の機能を有しており、第２クラッチ７５における複数のクラッチプレートと複数のフリクションプレートとの間の離間量、第２クラッチ７５における係合状態を変速制御部１１０に出力する。
【００７３】
車速センサ（出力軸回転数センサ）１１１は、変速機７０のドライブシャフト７３０における回転速度（ドライブシャフト回転数：車速に相当）を検出して変速制御部１１０及びエンジン制御部２００に出力する。
【００７４】
シフト位置センサ１０５は、シフト機構７０１のモータ１４０の動作により所定変速段を形成しているギア位置（１速〜６速、ニュートラル）を検出して変速制御部１１０に出力する。
【００７５】
シフトスイッチ１０６は、図示しないシフトアップボタン及びシフトダウンボタンを有し、これらシフトアップボタン又はシフトダウンボタンの押下によって、変速機７０が変速動作を行う。
【００７６】
すなわち、運転者がシフトスイッチ１０６のシフトアップボタン又はシフトダウンボタンを押下することによって、そのことを示す信号（以下、シフト信号と称する）がシフトスイッチ１０６から制御部３００へ出力される。制御部３００は、入力されるシフト信号に基づいて、第１及び第２クラッチアクチュエータ７７，７８ならびにモータ１４０を制御する。この制御によって、第１及び第２クラッチ７４，７５のいずれか一方、又はクラッチ７４、７５の両方が切断されるとともにシフトカム１４が回転し、変速機０（詳細には、変速機構７００）のギアシフトを行う。
【００７７】
本実施の形態では、シフトアップボタンが運転者に押下されることによって、変速機７０ではアップシフト動作が実行され、シフトダウンボタンが運転者に押下されることによって、変速機７０ではシフトダウン動作が実行される。
【００７８】
第１クラッチアクチュエータ７７は、変速制御部１１０からの制御指令に基づいて、第１クラッチ７４において、第１メインシャフト７１０に作用する係合力、つまり、第１クラッチ７４から第１メインシャフト７１０への伝達トルクを調整する。これにより、エンジンから第１メインシャフト７１０への動力の伝達或いは遮断が行われて、車両は発進したり停止したりする。
【００７９】
本実施の形態の第１クラッチアクチュエータ７７は、油圧によって第１クラッチ７４の伝達トルクを調整する。第１クラッチアクチュエータ７７では、変速制御部１１０により駆動制御されるモータ７７ｂがリンク７７ｃを介してマスターシリンダ７７ｄを駆動してスレイブシリンダ７７ｅに作動油を送出させる。スレイブシリンダ７７ｅでは流入する作動油によって、第１クラッチ７４側に付勢された第１プルロッド７７ａを第１クラッチ７４側から離間する方向に移動させる。これにより、第１クラッチ７４では係合力、つまり、伝達トルクを低下させて、エンジン（詳細には、クランクシャフト６０）から第１メインシャフト７１０への動力を遮断する。このように第１プルロッド７７ａが第１クラッチ７４から離間する方向に引っ張られるように移動することによって、第１クラッチ７４は解放状態となる。また、モータ７７ｂの駆動によって、第１プルロッド７７ａは、第１クラッチ７４側から離間する方向への引っ張り状態を解除され、第１クラッチ７４側に移動する。これにより、第１クラッチ７４の締結力（係合力）が増加していき、エンジンから第１メインシャフト７１０への伝達トルクが大きくなる。このとき、第１クラッチ７４は、エンジンから第１メインシャフト７１０への伝達トルクがある状態、つまり、締結状態となる。
【００８０】
第２クラッチアクチュエータ７８は、変速制御部１１０からの制御指令に基づいて、第２クラッチ７５において第２メインシャフト７２０に作用する係合力、つまり、第１クラッチ７４から第１メインシャフト７１０への伝達トルクを調整する。これにより、エンジンから第２メインシャフト７２０への動力の伝達或いは遮断が行われて、車両は発進したり停止したりする。
【００８１】
なお、第２クラッチアクチュエータ７８は、第１クラッチアクチュエータ７７と同様に構成され、第１クラッチアクチュエータ７７が第１クラッチ７４を駆動する動作と同様の動作で、第２クラッチ７５を駆動する。
【００８２】
さらに、第１クラッチアクチュエータ７７及び第２クラッチアクチュエータ７８は、走行中に、第１クラッチ７４及び第２クラッチ７５を動作させることによって、変速機内部のトルク伝達経路を切り替えて変速動作を行う。
【００８３】
なお、これら第１アクチュエータ７７及び第２アクチュエータ７８は、ここでは、油圧式のものとしたが、クラッチに作用する係合力を調整する構成であれば、電気式等、どのように構成されてよい。
【００８４】
シフト機構７０１は、ギアを選択する装置であり、変速制御部１１０からの制御指令に基づいて、変速機に搭載されている各シフトフォーク１４１〜１４４（図１参照）を選択的に作動させて、変速機入力軸である第１メインシャフト７１０及び第２メインシャフト７２０の少なくとも一方と、ドライブシャフト７３０とを連結状態とし、所定変速段を形成する。
【００８５】
スロットル開度センサ１２１は、電子制御スロットル１３０のスロットルバルブ１３１の開度を検出して、その信号を変速制御部１１０に出力する。
【００８６】
エンジン回転数センサ１２３は、エンジンの回転速度（具体的にはクランクシャフト６０の回転数）Ｎｅを検出し、その信号を変速制御部１１０に出力する。
【００８７】
なお、スロットル開度センサ１２１からのスロットルバルブ１３１の開度と、エンジン回転数センサ１２３からのエンジンの回転速度Ｎｅとは、アクセル開度センサ１０１からの信号等とともに、ＣＡＮ通信を介して変速制御部１１０からエンジン制御部２００に入力される。すなわち、エンジン制御部２００には、変速制御部１１０に入力される情報が入力され、変速制御部１１０にも、エンジン制御部２００に入力される情報がＣＡＮ通信を介して入力される。すなわち、変速制御部１１０はエンジン制御部２００とともに、互いに入力される情報を共有している。このように入力される情報を用いて、エンジン制御部２００は、エンジンの駆動を制御している。
【００８８】
変速制御部１１０及びエンジン制御部２００は、入力される情報を用いて、車両の各部を制御する。
【００８９】
エンジン制御部２００は、変速制御部１１０から、エンジンのトルクを決定する要求トルク指令を受けて、エンジンのトルクを制御する。
【００９０】
エンジン制御部２００は、受信した要求トルク指令に基づいて電子制御スロットル１３０の作動、あるいはイグニッション１２７を用いて点火時期を変化させることによってエンジンの発生トルクを制御する。
【００９１】
エンジン制御部２００は、電子制御スロットル１３０と、エンジンのインジェクタ１３３と、イグニッション１２７とが接続されており、これら接続される各部を用いて、エンジンを制御する。なお、エンジン制御部２００には、接続される各センサから、吸気温、水温、吸気負圧などの情報が入力される。
【００９２】
電子制御スロットル１３０は、エンジン制御部２００からの制御指令に基づいて、モータ１３２を駆動して、エンジン吸気系に設けられたスロットルバルブ１３１の開度を調整する。
【００９３】
変速制御部１１０には、二輪車に設けられた各センサが接続されており、これら各センサから、アクセル開度、エンジン回転数、第１メインシャフト７１０の回転数（図２では「奇数段メイン軸回転数」と示す）、第２メインシャフト７２０の回転数（図２では「偶数段メイン軸回転数」と示す）、シフトカム１４の回転角、ドライブシャフト７３０の回転数、油温、第１クラッチ７４の位置、第２クラッチ７５の位置、電磁スロットル弁の位置などの情報が入力される。また、変速制御部１１０には、図示しないサイドスタンドスイッチからのサイドスタンドスイッチ（サイドスタンドＳＷ）情報、ニュートラルスイッチからのニュートラルスイッチ（ニュートラルＳＷ）情報が入力される。
【００９４】
また、変速制御部１１０は、入力される信号に基づいて、所定のタイミングで、第１クラッチアクチュエータ７７、第２クラッチアクチュエータ７８及びシフト機構７０１の動作を制御する。これら第１クラッチアクチュエータ７７、第２クラッチアクチュエータ７８及びシフト機構７０１の動作によって、第１クラッチ７４、第２クラッチ７５と各変速ギア段とが動作されて変速段の切り替え動作が行われる。
【００９５】
具体的には、変速制御部１１０は、シフトスイッチ１０６からの変速段指令を受けて、入力される各情報（アクセル開度、エンジン回転数、第１メインシャフト７１０の回転数、第２メインシャフト７２０の回転数、ドライブシャフト７３０の回転数及びシフトカムの回転角）に基づいて、目標エンジントルクと目標クラッチトルクを算出する。
【００９６】
さらに、変速制御部１１０は、目標エンジントルク、目標クラッチトルクに基づいて目標スロットル開度、目標シフトカム１４の回転角、第１クラッチ７４又は第２クラッチ７５における目標クラッチ位置を算出する。
【００９７】
この算出結果を用いて変速制御部１１０は、第１クラッチアクチュエータ７７、第２クラッチアクチュエータ７８及びシフト機構７０１の動作を制御して、クラッチ掛け替え期間において、トルク伝達経路の変更する変速段の切り替え動作を行う。変速制御部１１０は、例えば、変速期間中に、掛け替え後の変速段である次段（目標変速段）のギア対にトルクを伝達する次段側のクラッチを動作して、次段側のクラッチのクラッチトルク容量を目標値に上げた後に、掛け替え前の変速段である前段のギア対にトルクを伝達する前段側のクラッチを動作して、前段側のクラッチのクラッチトルク容量を下げる。これにより、変速機７０におけるトルク伝達経路を変更する。
【００９８】
本実施の形態では、変速制御部１１０は、次段側のクラッチの動作不動を固着として判定し、次段側のクラッチが故障し、前段側のギアが抜けている場合は、前段側のギアを入れた後、前段側のクラッチをエンゲージ（係合）する。
【００９９】
具体的には、変速制御部１１０は、クラッチの動作不動を固着による故障と判定し、奇数段クラッチが故障の場合は、偶数段ギアのドグ入りを判定し、偶数段ギアがドグ入りしていないとき、偶数段ギアのドグ入れ後、偶数段クラッチを係合し、偶数段クラッチが故障の場合は、奇数段ギアのドグ入りを判定し、奇数段ギアがドグ入りしていないとき、奇数段ギアのドグ入れ後、奇数段クラッチをエンゲージする。また、変速制御部１１０は、シフト機構７０１の故障を判定し、シフト機構７０１が故障している場合は、次段側のクラッチと前段側のクラッチの、双方のクラッチをエンゲージする。これらクラッチのエンゲージは、トルクの伝達経路の変更の最終退避動作となる。
【０１００】
ここで、クラッチ又はシフト機構７０１の故障判定は、変速する際にエンジン回転数を、次段側の入力軸の回転数に一致させるイナーシャフェーズInti_fにおいて実施される。
【０１０１】
ところで、変速期間は、第１クラッチ７４或いは第２クラッチ７５の動作によってトルク伝達経路を変更する期間であり、トルク伝達準備フェーズ（ドグインフェーズDg_in_fともいう）と、トルク伝達経路変更フェーズ（トルクフェーズTrq_fともいう）と、イナーシャフェーズInti_fと、を有する。
【０１０２】
トルク伝達準備フェーズDg_in_fは、トルク伝達準備フェーズDg_in_fより後のフェーズ、例えば、トルク伝達経路変更フェーズTrq_fにおいて即座にクラッチの掛け替え動作を行える状態にする期間である。具体的には、トルク伝達準備フェーズDg_in_fでは、第１クラッチ７４及び第２クラッチ７５のうちエンゲージ側のクラッチとなるクラッチを、動作指令を受けた際に直ぐにトルク容量を発生させる状態にする。すなわち、このトルク伝達準備フェーズDg_in_fでは、エンゲージ側のクラッチを、係合直前の状態（複数のクラッチプレートと複数のフリクションプレートとが互いに当接する直前の近接した状態）の位置まで移動させる。このクラッチの状態を以下ではクラッチが係合準備位置にある状態ともいう。
【０１０３】
本実施の形態の第１及び第２クラッチアクチュエータ７７、７８において、トルク伝達準備フェーズDg_in_fは、エンゲージ側のクラッチ用クラッチアクチュエータのプルロッドをストロークして、エンゲージ側のクラッチを係合準備位置まで動作する期間ともいえる。
【０１０４】
トルク伝達経路変更フェーズTrq_fは、実際にクラッチを動作する、つまり、クラッチを掛け替えることによってトルクの伝達経路を変更する期間であり、実質的な変速期間である。本実施の形態では、トルク伝達経路変更フェーズTrq_fにおいて変速制御部１１０は、第１クラッチアクチュエータ７７及び第２クラッチアクチュエータ７８を制御して、クラッチを順次掛け替える。
【０１０５】
トルク伝達経路変更フェーズTrq_fでは、先ず、変速制御部１１０は、エンゲージ側のクラッチを動作して、エンゲージ側のクラッチトルク容量を目標値にした後で、リリース側のクラッチを動作して、リリース側のクラッチトルク容量を目標値にする。
【０１０６】
本実施の形態では、エンゲージ側のクラッチにおけるクラッチトルク容量の目標値を、例えば、クラッチ部分に伝達されるエンジントルク分（｜Ｔｅｇ｜分）とし、リリース側のクラッチトルク容量の目標値を０としている。すなわち、変速制御部１１０は、エンゲージ側のクラッチを先に動作させて、エンゲージ側のクラッチトルク容量値を０からエンジントルク値とした後で、リリース側のクラッチを、リリース側のクラッチトルク容量値を０となるように動作させて、リリース側のクラッチを解放する。
【０１０７】
このトルク伝達経路変更フェーズにおいて、変速制御部１１０によってそれぞれ動作する、エンゲージ側クラッチのクラッチトルク容量と、リリース側クラッチのクラッチトルク容量との合計は、エンジントルク分（｜Ｔｅｇ｜）以上であり、且つ、エンジントルク分（｜Ｔｅｇ｜分）の２倍以下である。
【０１０８】
イナーシャフェーズ（「慣性相」ともいう）Inti_fは、入力される回転速度を変速後に実現すべき回転速度近傍に変更しながら回転速度変更に伴うイナーシャの補正を実施する期間である。言い換えれば、イナーシャフェーズInti_fは、変速する際に、エンジン回転数を、変速先の段（次段）側の入力軸（第１メインシャフト７１０又は第２メインシャフト７２０）の回転数に一致させる期間である。エンジン回転数と、変速先の入力軸の回転数との差がある場合、｜クラッチ伝達トルク（実際に伝達しているトルク）｜＝クラッチトルク容量（クラッチが伝達できる最大トルク容量）となる。また、エンジン回転数と、変速先の入力軸の回転数との差が無い場合、｜クラッチ伝達トルク（実際に伝達しているトルク）｜≦クラッチトルク容量（クラッチが伝達できる最大トルク容量）となる。ここでは、イナーシャフェーズInti_fは、パワーオンアップシフト状態では、エンジン回転数を、エンゲージクラッチで合わせる調整を行う。
【０１０９】
イナーシャフェーズInti_fは、例えば、パワーオンアップシフト状態では、リリース側からエンゲージ側へのクラッチの掛け替えが完了した後で、変速機の伝達経路において実際に変速が進行し、入力軸（第１又は第２メインシャフト７１０、７２０）の回転数を低下させる。すなわち、変速制御部１１０は、イナーシャフェーズInti_fにおいて、エンゲージ側のクラッチを係合状態にし、エンゲージ側のクラッチを介してドライブシャフト７３０に動力を伝達させる。一方、このイナーシャフェーズInti_fにおけるリリース側のクラッチは、変速制御部１１０によって、変速前の変速を行っていたドグを抜くために解放される。イナーシャフェーズInti_fにおけるリリース側のクラッチは、ドグが抜かれてニュートラルの状態（空回り）となった後で、締結される。
【０１１０】
このように変速制御部１１０によって行われる、第１クラッチ７４及び第２クラッチ７５の動作を含む変速段の切り替え動作は、運転者の変速指令に応じて、４つの変速制御モード（以下「制御モード」とも称する）からモードを選択することによって行われる。
【０１１１】
４つの変速制御モードは、車両の加速中におけるダウンシフト、加速中におけるアップシフト、減速中におけるダウンシフト及び減速中におけるアップシフトをそれぞれ行う各変速パターンに応じたモードである。
【０１１２】
これら４つの変速制御モードの各制御モードにおける変速期間において、変速制御部１１０は、第１アクチュエータ７７を介して第１クラッチ７４の動作を制御したり、第２アクチュエータ７８を介して第２クラッチ７５の動作を制御したりして変速制御を行う。なお、各制御モードの変速期間は、それぞれトルク伝達準備フェーズDg_in_f、トルク伝達経路変更フェーズTrq_f及びイナーシャフェーズInti_fから構成される。
【０１１３】
図３は、変速制御を行う際の制御パターンである制御モード象限を示す図である。図３において、「クラッチ掛け替え」は、トルク伝達経路変更フェーズTrq_fにおけるクラッチ動作を示し、「係合」は、イナーシャフェーズにおける動作を示し、エンゲージ側のクラッチを介して動力が伝達されるクラッチの係合状態を示す。
【０１１４】
図３の第１象限が示す制御モード１は、エンジントルクを正負で表す場合のエンジントルク正（パワーオンという）の状態で、且つ、変速段を上げている状態（アップシフト）である。これをパワーオンアップシフト状態という。
【０１１５】
このパワーオンアップシフト状態は、例えば、車両走行中に１速から２速へのアップシフトを行うなど、加速中に変速段を上げていく状態である。第１象限が示す制御モード１の変速期間では、トルク伝達準備フェーズDg_in_f、トルク伝達経路変更フェーズTrq_f、イナーシャフェーズInti_fの順に変移する。
【０１１６】
図３の第２象限が示す制御モード２は、エンジントルクを正負で表す場合のエンジントルク正（パワーオンという）の状態で、且つ、変速段を下げている状態（ダウンシフト）である。所謂、キックダウン操作による状態であり、この状態を、パワーオンダウンシフト状態という。
【０１１７】
このパワーオンダウンシフト状態は、例えば、変速段を低くして駆動輪のトルクを増加させる状態であり、坂道を登る場合など駆動輪への負荷が大きくなる状態である。第２象限が示す制御モード２の変速期間では、第１象限が示す制御モード１と比較して、トルク伝達経路変更フェーズTrq_fとイナーシャフェーズInti_fとが入れ替わる。つまり、第２象限が示す制御モード２の変速期間では、トルク伝達準備フェーズDg_in_f、イナーシャフェーズInti_f、トルク伝達経路変更フェーズTrq_fの順に変移する。
【０１１８】
図３の第３象限が示す制御モード３は、エンジントルクを正負で表す場合のエンジントルク負（パワーオフという）の状態で、且つ、変速段を下げる状態（ダウンシフト）である。これをパワーオフダウンシフト状態という。
【０１１９】
このパワーオフダウンシフト状態は、例えば、車両走行中に２速から１速へのシフトダウンを行うなど、減速中に変速段を下げていく状態である。第３象限が示す制御モード３の変速期間では、トルク伝達準備フェーズDg_in_f、トルク伝達経路変更フェーズTrq_f、イナーシャフェーズInti_fの順に変移する。
【０１２０】
図３の第４象限が示す制御モード４は、エンジントルクを正負で表す場合のエンジントルク負（パワーオフという）の状態で、且つ、変速段を上げている状態（アップシフト）である。これをパワーオフアップシフト状態という。
【０１２１】
このパワーオフアップシフト状態は、例えば、キックダウンすることによって加速していき、車速が上がり、アクセルを緩めた状態であり、変速段を高くしつつ、駆動輪への負荷が小さくなる状態である。
【０１２２】
第４象限が示す制御モード４の変速期間では、第３象限が示す制御モード３と比較して、トルク伝達経路変更フェーズTrq_fとイナーシャフェーズInti_fとが入れ替わる。つまり、第４象限が示す制御モード４の変速期間では、トルク伝達準備フェーズDg_in_f、イナーシャフェーズInti_f、トルク伝達経路変更フェーズTrq_fの順に変移する。
【０１２３】
図４は、クラッチ固着判定方法を説明する図である。図４縦軸にクラッチ位置電圧、横軸にクラッチ動作の経過時間をとる。
【０１２４】
本実施の形態では、下記条件１〜３がすべて成立した場合、クラッチ固着発生と判定する。
【０１２５】
条件１：クラッチ位置目標値とクラッチ実位置との偏差が０．２Ｖ以上
条件２：クラッチ実位置がクラッチ位置目標値に追従する速度の差分が０．０８Ｖ／５ｍｓ以下
条件３：クラッチ実位置がクラッチ位置目標値に追従する速度が５０ｍｓ継続
なお、上記条件１〜３は、一例である。また、条件１〜３を選択的に組み合わせてもよい。
【０１２６】
このように構成された制御システム１０を備える走行中の二輪車において、ＤＴＣ変速後半における変速機７０の変速制御を図５を用いて説明する。
【０１２７】
図５は、ＤＴＣ変速後半におけるクラッチの動作に対応するトルク変化と回転数変化を示すタイムチャートである。
【０１２８】
図５において、Ｔｃ＿ｒは、リリース側（図中Ｒ側と略記する）のクラッチのトルク容量、Ｔｃ＿ｅは、エンゲージ側（図中Ｅ側と略記する）のクラッチのトルク容量、Ｔｃ＿ｔは、クラッチ双方の合計伝達トルク、Ｎｅｇは、エンジン回転数、−Ｔｅｇ、Ｔｅｇはエンジントルク値である。また、変速期間のうち、トルク伝達準備フェーズをDg_in_f、トルク伝達経路変更フェーズをTrq_f、イナーシャフェーズをInti_fで示している。また、図５（）内の数値は、各期間の時間（ｍｓ）を示している。
【０１２９】
なお、図５において、同一の横軸で重なる複数のグラフは、水平に重なる部分を、便宜上、若干ずらした状態で図示している。例えば、図５のトルク伝達経路変更フェーズTrq_fにおけるグラフＴｅｇ、Ｔｃ＿ｒ、Ｔｃ＿ｅ部分等は、実際には重なっているものとする。
【０１３０】
変速制御部１１０は、入力される情報に基づいて、第１アクチュエータ７７を介して第１クラッチ７４の駆動を制御し、第２アクチュエータ７８を介して第２クラッチ７５の駆動を制御する。このように第１クラッチ７４及び第２クラッチ７５の駆動を制御することによって、変速制御部１１０は、トルク伝達中であるクラッチの解放と、シフト後のギア対にトルクを伝達するクラッチの締結とを行う。
【０１３１】
先ず、トルク伝達準備フェーズDg_in_fにおいてトルク伝達準備動作を行う。
【０１３２】
すなわち、変速制御部１１０は、制御モード１では、トルク伝達準備フェーズDg_in_fにおいて、第１クラッチ７４及び第２クラッチ７５のうちトルク伝達中のクラッチ（「リリース側のクラッチ」ともいう）を制御して、伝達トルク（双方のクラッチを介してメインシャフトに伝達されるクラッチの合計トルクＴｃ＿ｔ）は下げずに、リリース側のクラッチのトルク容量Ｔｃ＿ｒを下げる。また、制御モード１におけるトルク伝達準備フェーズDg_in_fにおいて、変速制御部１１０は、次のトルク伝達を行うクラッチ（「エンゲージ側のクラッチ」ともいう）に対しても、伝達トルク（双方のクラッチを介してメインシャフトに伝達されるクラッチの合計トルクＴｃ＿ｔ）は下げずに、エンゲージ側のクラッチのトルク容量Ｔｃ＿ｅを下げる制御を行う。
【０１３３】
詳細には、トルク伝達準備フェーズDg_in_fでは、エンゲージ側のクラッチは、トルクを伝達していない、つまり、エンゲージ側のクラッチの動力伝達経路上におけるドグが抜かれた状態で、繋がっている状態である。よって、変速制御部１１０は、トルク伝達準備フェーズDg_in_fにおいて、エンゲージ側のクラッチを制御して、繋がっているエンゲージ側のクラッチを解放して次段のギアを入れて（詳細にはドグを入れる）掛け替えるための準備位置に移動して、ドグを入れる。
【０１３４】
また、制御モード１におけるトルク伝達準備フェーズDg_in_fでは、変速制御部１１０は、リリース側のクラッチを制御して、リリース側のクラッチのトルク容量Ｔｃ＿ｒを、エンジントルクＴｅｇと同等のトルクまで下げる。
【０１３５】
そして、変速制御部１１０は、トルク伝達経路変更フェーズTrq_fにおいて、リリース側のクラッチのトルク容量Ｔｃ＿ｒをエンジントルクＴｅｇに維持しつつ、エンゲージ側のクラッチを動作してエンゲージ側のクラッチのクラッチ容量Ｔｃ＿ｅを０から目標値（ここでは、エンジントルクＴｅｇ）まで上げる。
【０１３６】
このように、変速制御部１１０は、図５に示すように、トルク伝達経路変更フェーズTrq_fにおいて、エンゲージ側のクラッチのクラッチ容量Ｔｃ＿ｅをエンジントルク分（Ｔｅｇ）にした後で、リリース側のクラッチを動作して切る、つまり、エンジントルク分（Ｔｅｇ）に維持されているリリース側のクラッチのクラッチ容量Ｔｃ＿ｒを下げて０にする。
【０１３７】
このようにして、変速制御部１１０は、トルク伝達経路変更フェーズTrq_fにおいて、クラッチの掛け替えを行い、変速機におけるトルク伝達経路を変更する。
【０１３８】
次に、イナーシャフェーズInti_fにおいて、変速制御部１１０は、ドライブシャフト７３０に、係合状態のエンゲージ側のクラッチを介して動力を伝達する制御を行っており、このフェーズにおけるエンゲージ側のクラッチのトルク容量Ｔｃ＿ｅをエンジントルクＴｅｇ以上にする。
【０１３９】
また、イナーシャフェーズInti_fでは、変速制御部１１０は、リリース側のクラッチを解放している間に、シフト機構７０１を駆動して、リリース側のクラッチを含む伝達経路のドグを抜いてニュートラルの状態（空回り）にし、その後で、リリース側のクラッチを締結する。また、このイナーシャフェーズInti_fでは、エンジン回転数がエンゲージ側のクラッチを介した伝達経路の回転数に同期する。
【０１４０】
このエンジン回転数Ｎｅｇの変化によってイナーシャトルクが発生することとなり、この状態において、リリース側のクラッチ側の伝達経路において駆動力を伝達していた１速側のドグを抜いてリリース側のクラッチＴｃ＿ｒをニュートラルにした後でクラッチを締結している。なお、この動作は、変速機のシステムによって異なり、例えば、プリシフト式のシステムでは、先に次段のギア対にトルクを伝達するドグを入れておき、次段のギア対にトルクを伝達可能なクラッチを切って待機している。
【０１４１】
以下、イナーシャフェーズInti_fにおいて、ＤＣＴ変速後半でのクラッチのフェールセーフ制御について説明する。
【０１４２】
[ＤＣＴ変速後半でのフェールセーフ制御]
図５に示すように、ＤＣＴ変速後半に、エンゲージ側のトルクに故障が起きた場合に、挙動として最も厳しいのは、図３の３象限が示す制御モード３である。
【０１４３】
イナーシャフェーズInti_fにおいて、エンゲージ側のクラッチが故障（機械的固着）し、リリース側ギアが抜けている場合、両方のクラッチを繋げる制御を実施しても十分なトルクを伝達できない。
【０１４４】
エンゲージ側のクラッチが固着した場合、最終退避動作しようとしても、ギアを抜いてしまっている場合（例えば、図５に示す２速から１速にダウンしている場合）、イナーシャフェーズInti_fに入ると、リリース側（ここでは２段側）のギアを抜いて、リリース側を再係合しようとしてもできない。すなわち、ギアを抜いた後に、最終退避動作しても、クラッチは繋げるものの、ギアは抜けているので繋がらない。つまり、ドクが抜けており、エンゲージ側のクラッチは固着しているので、繋げにいっても、ドクが抜けておりトルク伝達はできない。なお、ＢＴＬ付きクラッチ（逆方向のクラッチ）を備えるＤＣＴでないと、繋げる動作自体ができない。ＢＴＬがない場合には、故障したときクラッチを切るしかない。ＢＴＬ動作によるリリース側のクラッチ係合の詳細については、後述する。
【０１４５】
パワーオフダウンシフト状態のときであるため、そのまますぐに問題は起きない。しかし、その後加速しようとしたときに、エンゲージ側のクラッチのトルクが少ない状態になるので、駆動が抜けたような感覚となる。
【０１４６】
すなわち、イナーシャフェーズInti_fにおいては、減速の場合はトルクが小さい。そこからライダーがアクセルを上げるとエンジンが吹けてしまう。例えば、減速してコーナリングして、そこから加速して車体を起こしたいときに、車体が起きない。
【０１４７】
本実施の形態では、ＤＣＴ変速後半に、エンゲージ側のトルクに故障が起きた場合のフェールセーフ制御を提供する。
【０１４８】
具体的には、イナーシャフェーズInti_fにおいて、エンゲージ側のクラッチが固着した場合、最終退避動作しようとしても、ギアを抜いてしまっており（図５では２から１にダウンしている）、リリース側２段側のギアを抜いて、リリース側を再係合しようとしてもできない不具合に対し、本実施の形態では、固着判定後、ドグを入れなおして、リリース側を再係合することで、パワーオフダウンシフト状態で、加速しようとしたときに、必要トルクを確保する。上記コーナリングの例では、コーナリング減速後、加速して車体を起こしたいときに駆動を保ち、転倒を防止する。
【０１４９】
本実施の形態では、変速制御部１１０は、図５に示すように、クラッチの故障を判定し、次段側のクラッチが故障し、前段側のギアが抜けている場合は、前段側のギアを入れた後、前段側のクラッチを係合して、トルクの伝達経路の変更の最終退避動作とする。
【０１５０】
[ＢＴＬ動作によるリリース側のクラッチ係合]
ＢＴＬ動作によるリリース側のクラッチの係合について説明する。
【０１５１】
ダウンシフトにおいて、エンゲージ側のクラッチが固着し、本フェールセーフ動作をした場合を例に採る。
【０１５２】
ＢＴＬは、エンゲージ側クラッチトルクが、バックトルクリミッタが動作するトルクより大きい場合に動作する。この場合、リリース側クラッチトルクの方が上回って、リリース側が係合する。
【０１５３】
エンゲージ側クラッチトルクをTc_e、リリース側クラッチトルクをTc_r、エンジントルクをTe、エンジンイナーシャトルクを−Je＊dwe／dtとすると、その関係は次式（１）で示される。
【０１５４】
Tc_r＋Tc_e＝Te−Je＊dwe／dt  …（１）
【０１５５】
パワーオフダウンシフトにおいて、本ＤＣＴ変速後半でのフェールセーフ制御のように、変速後半にエンゲージ側クラッチが固着した場合は、Tc_rは上流側の方が回転数が高いので正、Tc_eは逆で負、Tegはパワーオフなので負となる。
【０１５６】
いま、リリース側クラッチをエンゲージさせたいので、エンジン回転数を下げ（dwe／dtを負にする）、−Je＊dwe／dtが正になるようにTc_rを制御する。
【０１５７】
Tc_r，Tc_e≫Teであるため、分かり易いように、Teを無視すると、式（１）は、次式（２）に変形することができる。
【０１５８】
−Je＊dwe／dt＝Tc_r＋Tc_e−Te＞０  …（２）
【０１５９】
上記式（２）が成り立つ、すなわちリリース側クラッチが係合するためには、Tc_r＞−Tc_eである必要がある。
【０１６０】
しかし、エンゲージ側のクラッチが最大トルク容量に近い値で固着した場合は、Tc_r＞−Tc_eを満足させることはできない。
【０１６１】
そこでＢＴＬが必要となる。ＢＴＬは、−１００Ｎｍ程度で動作するようになっており、クラッチの最大トルク容量は２４０Ｎｍであるので、どのようなトルクでエンゲージ側が固着しても、十分にリリース側クラッチをエンゲージさせることができる。すなわち、ＢＴＬは、−１００Ｎｍ以下で固着した場合に動作せず、それ以上で固着した場合に動作する。
【０１６２】
よって、変速制御部１１０は、リリース側のドグを入れて、リリース側のクラッチトルク容量を適切な値に制御する一方で、ＢＴＬが、条件により動作してリリース側のクラッチを係合する。このように、変速制御部１１０は、ＢＴＬと協働して、リリース側のギアを入れた後、リリース側のクラッチを係合する。
【０１６３】
なお、本ＤＣＴ変速後半でのフェールセーフ制御は、ＢＴＬ付きＤＣＴを前提とする。しかし、ＢＴＬは必ずしも動作する訳ではなく、ＢＴＬだけではリリース側のクラッチを係合させることはできない。特に、エンゲージ側トルクが小さい値で固着した場合、ＢＴＬは動作しない場合が多いと考えられる。
【０１６４】
図６は、ＤＣＴ変速後半でのフェールセーフ制御動作を行う際のフローチャートである。図中、Ｓはフローの各ステップを示す。
【０１６５】
ステップＳ１では、変速制御部１１０は、クラッチ又はシフト機構７０１の故障を判定する。クラッチの故障は、図４のクラッチの固着発生の判定である。クラッチ又はシフト機構７０１の故障箇所により、ステップＳ１１、ステップＳ２１、ステップＳ３１に移行する。
【０１６６】
奇数段クラッチが故障の場合は、ステップＳ１１で変速制御部１１０は、正常側である偶数段ギアのドグ入りか否かを判別する。ここで、ドグ入りは、シフトポテンシャルで判定する。シフトカムが動くと、ドラムの回転角のポテンシャル、すなわちシフトポテンシャルが変わり、ドクが入っているか否かを判定することができる。
【０１６７】
偶数段ギアのドグ入りがない場合は、ステップＳ１２で変速制御部１１０は、偶数段ギアのドグ入れ後、ステップＳ１３に移行する。また、上記ステップＳ１１で偶数段ギアのドグ入りがある場合は、そのままステップＳ１３に移行する。
【０１６８】
ステップＳ１３では、変速制御部１１０は、偶数段クラッチをエンゲージして、トルクの伝達経路の変更の最終退避動作を行って本フローを終了する。
【０１６９】
例えば、図５では、故障（固着判定）時、Ｎ−１であり、ドグを入れなおして、２−１すなわち２速を入れる。つまり１速が壊れている場合は、２速を入れて繋ぐ。
【０１７０】
偶数段クラッチが故障の場合は、ステップＳ２１で変速制御部１１０は、正常側である奇数段ギアのドグ入りか否かを判別する。
【０１７１】
奇数段ギアのドグ入りがない場合は、ステップＳ２２で変速制御部１１０は、奇数段ギアのドグ入れ後、ステップＳ２３に移行する。また、上記ステップＳ２１で奇数段ギアのドグ入りがある場合は、そのままステップＳ２３に移行する。
【０１７２】
ステップＳ２３では、変速制御部１１０は、奇数段クラッチをエンゲージして、トルクの伝達経路の変更の最終退避動作を行って本フローを終了する。なお、最終退避動作からのドク入れは、ドグが入り難いばかりか無理にドグ入れするとショックが発生する。
【０１７３】
一方、シフト機構７０１が故障している場合は、ステップＳ３１で変速制御部１１０は、次段側のクラッチと前段側のクラッチの、双方のクラッチをエンゲージして、トルクの伝達経路の変更の最終退避動作を行って本フローを終了する。
【０１７４】
以上詳細に説明したように、本実施の形態の複式クラッチ変速機７０は、変速制御部１１０は、次段側のクラッチの動作不動を固着として判定し、次段側のクラッチが故障し、前段側のギアが抜けている場合は、前段側のギアを入れた後、前段側のクラッチトルク容量を所定値に制御し、且つ、ＢＴＬが、所定条件により動作して前段側のクラッチを係合する。つまり、奇数段クラッチが故障の場合は、偶数段ギアのドグ入りを判定し、偶数段ギアがドグ入りしていないとき、偶数段ギアのドグ入れ後、偶数段クラッチをエンゲージし、偶数段クラッチが故障の場合は、奇数段ギアのドグ入りを判定し、奇数段ギアがドグ入りしていないとき、奇数段ギアのドグ入れ後、奇数段クラッチをエンゲージして、トルクの伝達経路の変更の最終退避動作を行う。
【０１７５】
元々、ＢＴＬに依って二重係合が実現され安全である。しかし、エンゲージ側のクラッチが固着し、ギアが抜けていると二重係合できない。本実施の形態では、固着判定し、ドグを入れなおしてリリース側のクラッチを再係合する。
【０１７６】
これにより、エンゲージ側のクラッチが故障（機械的固着）し、リリース側ギアが抜けている場合であっても、リリース側のギアを入れた後、リリース側のクラッチを繋ぐことで、十分なトルクを伝達することができ、クラッチ故障による車両影響を最小限にすることができる。
【０１７７】
ここで、本実施の形態では、図５に示すように、リリース側にエンジン回転数を係合させるために必要なトルクにして、係合させる。具体的には、変速制御部１１０は、回転数差、目標係合時間（約２５０ｍｓ：参考値）、及びエンゲージ側クラッチトルク容量を基に、必要なリリース側クラッチトルク容量を計算し、そのトルクになるようにリリース側クラッチを制御する。ＢＴＬに依って二重係合が実現されるとしても、二重係合の一方が０であると、二重係合が有効に発揮されない。トルク制御で、ある時間を掛けてエンゲージすることで、二重係合の一方にトルクを付与し、車両の制御の実効を図っている。
【０１７８】
本発明に係る複式クラッチ変速機の制御装置は上記実施の形態に限定されず、種々変更して実施することが可能である。
【０１７９】
なお、ここでは、本発明をハードウェアで構成する場合を例にとって説明したが、本発明をソフトウェアで実現することも可能である。例えば、本発明に係る複式クラッチ変速機の制御方法のアルゴリズムをプログラム言語によって記述し、このプログラムをメモリに記憶しておいて、複式クラッチ変速機が搭載された二輪車の制御部によって実行させることにより、本発明に係る複式クラッチ変速機の制御装置と同様の機能を実現することができる。
【０１８０】
また、上記実施の形態の説明に用いた変速制御部１１０は、典型的には集積回路であるＬＳＩ等を用いて実現される。変速制御部１１０の有する各機能は個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１８１】
２０１０年１２月１５日出願の特願２０１０−２７９４３３の日本出願に含まれる明細書、図面及び要約書の開示内容は、すべて本願に援用される。
【産業上の利用可能性】
【０１８２】
本発明に係る複式クラッチ変速機の制御装置及び複式クラッチ変速機の制御方法は、複式クラッチ変速機をもつ車両等に於いて、クラッチが故障した場合に、その挙動を最小限に抑えることができる効果を有し、ツインクラッチ式の変速機を搭載した自動二輪車における変速制御装置として有用である。
【符号の説明】
【０１８３】
１０  制御システム
７０  変速機
７４  第１クラッチ
７５  第２クラッチ
７７  第１クラッチアクチュエータ
７８  第２クラッチアクチュエータ
１１０  変速制御部
２００  エンジン制御部
３００  制御部
７００  変速機構
７０１  シフト機構
【図１】
2012081191.tif 000003
【図２】
2012081191.tif 000004
【図３】
2012081191.tif 000005
【図４】
2012081191.tif 000006
【図５】
2012081191.tif 000007
【図６】
2012081191.tif 000008
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える変速制御手段と、
を備え、
前記変速制御手段は、前記次段側のクラッチの動作不動を固着として判定し、
前記次段側のクラッチが故障し、前段側のギアが抜けている場合は、
前記変速制御手段は、前記前段側のギアを入れた後、前記前段側のクラッチトルク容量を前記次段側のクラッチトルク容量の目標値に制御し、
且つ、前記バックトルクリミッタは、故障した次段側クラッチトルクが前記バックトルクリミッタが動作するトルクより大きい場合で、前記前段側のギアが入った後、前段側クラッチトルクがバックリミッタ動作トルクを超える条件により動作して前記前段側のクラッチを係合する、
複式クラッチ変速機の制御装置。
【請求項２】
前記変速制御手段は、奇数段クラッチが故障の場合は、偶数段ギアのドグ入りを判定し、偶数段ギアがドグ入りしていないとき、偶数段ギアのドグ入れ後、偶数段クラッチを係合し、
偶数段クラッチが故障の場合は、奇数段ギアのドグ入りを判定し、奇数段ギアがドグ入りしていないとき、奇数段ギアのドグ入れ後、奇数段クラッチを係合する、
請求項１記載の複式クラッチ変速機の制御装置。
【請求項３】
前記変速制御手段は、シフト機構の故障を判定し、前記シフト機構が故障している場合は、次段側のクラッチと前段側のクラッチの、双方のクラッチを係合する、
請求項１記載の複式クラッチ変速機の制御装置。
【請求項４】
前記変速制御手段は、変速する際にエンジン回転数を、次段側の入力軸の回転数に一致させるイナーシャフェーズにおいて、前記クラッチの故障を判定する、
請求項１記載の複式クラッチ変速機の制御装置。
【請求項５】
前記変速制御手段は、前記クラッチの係合を、前記トルクの伝達経路の変更の最終退避動作とする、
請求項１記載の複式クラッチ変速機の制御装置。
【請求項６】
前記変速制御手段は、クラッチ位置目標値とクラッチ実位置との偏差が第１の閾値以上となる条件、前記クラッチ実位置が前記クラッチ位置目標値に追従する速度の差分が第２の閾値以下となる条件、前記速度の継続時間が特定の時間となる条件のうち、少なくともいずれか一つが成立した場合に前記固着であると判定する、
請求項２記載の複式クラッチ変速機の制御装置。
【請求項７】
請求項１記載の複式クラッチ変速機の制御装置を備える、
自動二輪車。
【請求項８】
奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える複式クラッチ変速機の制御方法であって、
イナーシャフェーズにおいて、前記次段側のクラッチの動作不動を固着として判定し、前記次段側のクラッチが故障し、前段側のギアが抜けている場合は、前記前段側のギアを入れた後、前記前段側のクラッチトルク容量を前記次段側のクラッチトルク容量の目標値に制御し、且つ、前記バックトルクリミッタは、故障した次段側クラッチトルクが前記バックトルクリミッタが動作するトルクより大きい場合で、前記前段側のギアが入った後、前段側クラッチトルクがバックリミッタ動作トルクを超える条件により動作して前記前段側のクラッチを係合する、
複式クラッチ変速機の制御方法。
【手続補正２】
【補正対象書類名】明細書
【補正対象項目名】００１５
【補正方法】変更
【補正の内容】
【００１５】
本発明の複式クラッチ変速機の制御装置は、奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える変速制御手段と、を備え、前記変速制御手段は、前記次段側のクラッチの動作不動を固着として判定し、前記次段側のクラッチが故障し、前段側のギアが抜けている場合は、前記変速制御手段は、前記前段側のギアを入れた後、前記前段側のクラッチトルク容量を前記次段側のクラッチトルク容量の目標値に制御し、且つ、前記バックトルクリミッタは、故障した次段側クラッチトルクが前記バックトルクリミッタが動作するトルクより大きい場合で、前記前段側のギアが入った後、前段側クラッチトルクがバックリミッタ動作トルクを超える条件により動作して前記前段側のクラッチを係合する構成を採る。
【手続補正３】
【補正対象書類名】明細書
【補正対象項目名】００１６
【補正方法】変更
【補正の内容】
【００１６】
本発明の複式クラッチ変速機の制御方法は、奇数段の変速ギアを有する第１主軸と、エンジントルクを前記第１主軸に伝達又は遮断する第１クラッチと、偶数段の変速ギアを有する第２主軸と、前記エンジントルクを前記第２主軸に伝達又は遮断する第２クラッチと、前記奇数段の変速ギア及び前記偶数段の変速ギアに歯合する各被動側ギアを有し、且つ、前記第１主軸又は前記第２主軸からの回転を駆動輪に伝達する出力軸と、変速機側から逆向きに伝達されるバックトルクを解放してクランク軸側に過大なバックトルクが伝達されるのを阻止するバックトルクリミッタと、クラッチの掛け替え期間に前記第１クラッチ及び前記第２クラッチを制御することによってトルクの伝達経路を変更して変速段を前段から次段に切り換える複式クラッチ変速機の制御方法であって、イナーシャフェーズにおいて、前記次段側のクラッチの動作不動を固着として判定し、前記次段側のクラッチが故障し、前段側のギアが抜けている場合は、前記前段側のギアを入れた後、前記前段側のクラッチトルク容量を前記次段側のクラッチトルク容量の目標値に制御し、且つ、前記バックトルクリミッタは、故障した次段側クラッチトルクが前記バックトルクリミッタが動作するトルクより大きい場合で、前記前段側のギアが入った後、前段側クラッチトルクがバックリミッタ動作トルクを超える条件により動作して前記前段側のクラッチを係合するようにした。
【国際調査報告】
2012081191.tif 000009
2012081191.tif 000010